(57)【特許請求の範囲】
【請求項１】
本体部分Ｂと蓋部分Ｃとからなり、本体部分Ｂと蓋部分Ｃがヒンジ部ｈにおいて接合され、磁石体Ｍ１を内包する長方形板留め具Ｋ１が、その長方形面ｐ１と本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とするマグネットロック機構を備えたブック型携帯ケース１００。
ここに、磁石体Ｍ１のＮ極Ｓ極軸ｙ１とは、磁石体Ｍ１のＮ極Ｎの中心ＯｎとＳ極Ｓの中心Ｏｓを通る軸をいい、磁石体Ｍ２のＮ極Ｓ極軸ｙ２とは、磁石体Ｍ２のＮ極Ｎの中心ＯｎとＳ極Ｓの中心Ｏｓを通る軸をいう。磁石体Ｍ１のＮ極Ｓ極軸ｙ１の方向とは、Ｎ極Ｎの中心ＯｎからＳ極Ｓの中心Ｏｓへ向かう方向をいい、磁石体Ｍ２のＮ極Ｓ極軸ｙ２の方向とは、Ｎ極Ｎの中心ＯｎからＳ極Ｓの中心Ｏｓへ向かう方向をいう。
【請求項２】
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が内側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が内側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とする請求項１に記載されたマグネットロック機構を備えたブック型携帯ケース１００。
【請求項３】
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近すると共に、磁石体Ｍ１と磁石体Ｍ２の吸引力Ｆａにより磁石体Ｍ１の中心Ｏ１と磁石体Ｍ２の中心Ｏ２が自動的に重なることを特徴とする請求項１〜２の何れかに記載されたマグネットロック機構を備えたブック型携帯ケース１００。
【請求項４】
本体部分Ｂの面と長方形板留め具Ｋ１の面が垂直になるように構成され、蓋Ｃの面に長方形板留め具Ｋ１が垂直になるように構成されていることを特徴とする請求項１〜３の何れかに記載されたマグネットロック機構を備えたブック型携帯ケース１００。
【請求項５】
ブック型携帯ケースを閉じる際には、磁石体Ｍ１と磁石体Ｍ２の吸引力Ｆａにより、長方形板留め具Ｋ１と長方形板係止材Ｋ２が接触する際にカチッと音がしてロックされたことを知らせることを特徴とする請求項１〜４の何れかに記載されたマグネットロック機構を備えたブック型携帯ケース１００。
【請求項６】
本体部分Ｂの面と長方形板留め具Ｋ１の面が垂直になるように構成され、蓋Ｃの面に長方形板係止材Ｋ２が垂直になるように構成されている場合、長方形板留め具Ｋ１の面より、長方形板係止材Ｋ２が外側にあることを特徴とする請求項１〜５の何れかに記載されたマグネットロック機構を備えたブック型携帯ケース１００。
【請求項７】
長方形板留め具Ｋ１の先端Ｋ１１が、蓋部分Ｃの開閉部Ｃ０のストッパーＳｔに当接することにより、本体部分Ｂと蓋部分Ｃの間の間隔を保持して、ブック型携帯ケース１００に収納された携帯端末が外から見えるようにしたことを特徴とする請求項１〜６の何れかに記載されたマグネットロック機構を備えたブック型携帯ケース１００。
【請求項８】
長方形板留め具Ｋ１の先端Ｋ１１が、長方形板留め具Ｋ１の固着部Ｋ１２より、断面が大きいことを特徴とする請求項１〜７の何れかに記載されたマグネットロック機構を備えたブック型携帯ケース１００。
【発明の詳細な説明】
【技術分野】
【０００１】
本発明は、マグネットロック機構を備えたブック型携帯ケース１００に関する。
【背景技術】
【０００２】
本体部分と蓋部分とからなり、本体部分と蓋部分がヒンジ部において結合されたブック型携帯ケースのロック機構の従来技術は、ボタン式の留め具や、ベルト差し込み式の留め具で、携帯電話を本体部分に収納した後、蓋部部分を固定していた。
【発明の開示】
【０００３】
しかし、ボタン式の留め具は、ボタンを留める動作が面倒であり、ベルト差し込み式の留め具も、ベルトを差し込むのは面倒であるという欠点があり、
さらに、ボタン式の留め具ベルト差し込み式の留め具も、共に出っ張って嵩張るという欠点があるので、蓋部分を閉じるだけで、簡単に、かつ、自動的に嵩張ることなく固定できるマグネットロック機構を備えたブック型携帯ケースの出現が望まれていた。
【先行技術文献】
【特許文献】
【０００４】
本願発明に係るマグネットロック機構を備えたブック型携帯ケース１００について、ＦＩ、キーワード検索を行ったところ、本件発明（請求項１〜８に記載の発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
蓋部分を閉じるだけで、目で見て操作しなくても、磁石の力だけで所定位置に自動的に固定できるマグネットロック機構を備えたブック型携帯ケースを提供することである。
○本発明が解決しようとする第２課題
本発明が解決しようとする第２課題は、
磁石体の種類と個数が少なくて、蓋部分を閉じるだけで、目で見て操作しなくても、磁石の力だけで所定位置に固定できるマグネットロック機構を備えたブック型携帯ケースを提供することである。
○本発明が解決しようとする第３課題
本発明が解決しようとする第３課題は、
蓋部分を閉じるだけで、目で見て操作しなくても、磁石の力だけで、繰り返し操作をしても、同じ所定位置に確実に自動的に固定できるマグネットロック機構を備えたブック型携帯ケースを提供することである。
○本発明が解決しようとする第４課題
本発明が解決しようとする第４課題は、
蓋部分を閉じた場合、収納した携帯端末が、目で外から見えるマグネットロック機構を備えたブック型携帯ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○本体部分Ｂは、ブック型携帯ケースの構成要素の一つであって、携帯電話Ｐｈを収納するものである。本体部分Ｂは、携帯電話Ｐｈを収納して動かないようにホールドするための１対の側壁Ｗ１、側壁Ｗ２を有しており、携帯電話Ｐｈの表示部を見るための開口部Ｗを有している。
○蓋部分Ｃは、ブック型携帯ケースの構成要素の一つであって、携帯電話を収納したり、取り出したりするために開閉するためのものである。
○ヒンジ部分ｈは、本体部分Ｂと蓋部分Ｃをヒンジ構造でフレクシブルに結合するものであり、本に例えれば、背表紙に相当するものである。
○ブック型携帯ケース１００は、携帯電話Ｐｈを収納するためのケースである。ブック型携帯ケース１００には、水平方向に開く横開きブック型携帯ケースと垂直方向に開く縦開き携帯ケースがある。
ここに、ブック型携帯ケース１００の大きさを、横長さＬ×縦長さＨで表示することにする（横長さＬの寸法より、縦長さＨの寸法の方が長い）。
横開きブック型携帯ケースは、蓋部分Ｃと本体部分Ｂの縦長さＨの方をヒンジｈで結合されてなり、水平方向に開閉するものであるが、
縦開きブック型携帯ケースは、蓋部分Ｃと本体部分Ｂの横長さＬの方をヒンジｈで結合されてなり、垂直方向に開閉するものである。
本願発明におけるブック型携帯ケース１００は、横開きブック型携帯ケースと縦開き携帯ケースの両方を含む。
○本体部分Ｂの開閉部Ｂ０とは、本体部分Ｂのヒンジ部ｈの反対部をいう。携帯電話Ｐｈを本体部分Ｂに収納した後に、蓋部分Ｃを閉じて、マグネットロックさせるための構成要素である。
○磁石体Ｍ１とは、長方形板係止材Ｋ１に内包しているＮ極とＳ極の対から構成される長方形板永久磁石である。ただし、磁石体Ｍ１は、長方形板係止材Ｋ１から一部露出していてもよい。
○磁石体Ｍ２とは、長方形板係止材Ｋ２に内包しているＮ極とＳ極の対から構成される長方形板永久磁石である。ただし、磁石体Ｍ２は、長方形板係止材Ｋ２から一部露出していてもよい。
○長方形板係止材Ｋ１は、本体部分Ｂと蓋部分Ｃをマグネットロックするための他方の部材であって、蓋部分Ｃの開閉部ＣＯに取り付けられている。
○長方形板係止材Ｋ２は、本体部分Ｂと蓋部分Ｃをマグネットロックするための一方の部材であって、本体部分Ｂの開閉部Ｂ０に一体構造により取り付けてなる。
○ブック型携帯ケース１００とは、本体部分Ｂと蓋部分Ｃと、本体部分Ｂと蓋部分Ｃがヒンジ部ｈ、本体部分Ｂの開閉部Ｂ２に磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるものである。
○長方形板係止材Ｋ１の先端側Ｋ１１とは、長方形板係止材Ｋ１が蓋部分Ｃに取り付けられている側の反対側をいう（図１、図２、図７、図８）。
○長方形板係止材Ｋ１の係止側Ｋ１２とは、長方形板係止材Ｋ１が蓋部分Ｃに取り付けられている側をいう（図１、図２、図７、図８）。
○長方形板係止材Ｋ２の先端側Ｋ２１とは、長方形板係止材Ｋ２が本体部分Ｂに取り付けられている側の反対側をいう（図１、図２、図７、図８）。
○長方形板係止材Ｋ２の係止側Ｋ２２とは、長方形板係止材Ｋ２が本体部分Ｂに取り付けられている側をいう図１、図２、図７、図８）。
○マグネットロック機構とは、携帯電話Ｐｈを本体部分Ｂに収納した後に、蓋部分Ｃを閉じて、マグネットロックさせるための機構をいう。
○長方形面ｐ１とは、長方形板係止材Ｋ１の長方形面をいう（図１１）。
○長方形面ｐ２とは、長方形板係止材Ｋ２の長方形面をいう（図１１）。
○Ｎ極Ｎとは、磁石体Ｍ（磁石体Ｍ１又は磁石体Ｍ２をいう。）のＮ極をいう。
○Ｓ極Ｓとは、磁石体Ｍ（磁石体Ｍ１又は磁石体Ｍ２をいう。）のＳ極をいう。
○ストッパーＳｔとは、長方形板留め具Ｋ１の先端Ｋ１１が、蓋部分Ｃの開閉部Ｃ０に、当接する部分をいう（図１）。
○長方形板留め具Ｋ１の先端Ｋ１１が、長方形板留め具Ｋ１の固着部Ｋ１２より、断面が大きくなるようにしたのは、長方形板留め具Ｋ１の先端Ｋ１１が、蓋部分Ｃの開閉部Ｃ０のストッパーＳｔに当接することにより、当該先端Ｋ１１が受ける応力を小さくして、耐久性を持たせたためである。
＜記号の説明＞
○Ｎ極Ｓ極軸ｙ１とは、磁石体Ｍ１のＮ極Ｎの中心ＯｎとＳ極Ｓの中心Ｏｓを通る軸をいう。図３〜図１０において、中心Ｏｎ、中心Ｏｓの表示は省略して、磁石体Ｍ１のＮ極Ｓ極軸ｙ１の表示を矢線で表示している。
○Ｎ極Ｓ極軸ｙ２とは、磁石体Ｍ２のＮ極Ｎの中心ＯｎとＳ極Ｓの中心Ｏｓを通る軸をいう。図３〜図１０において、中心Ｏｎ、中心Ｏｓの表示は省略して、磁石体Ｍ２のＮ極Ｓ極軸ｙ２の表示を矢線で表示している。
○磁石体Ｍ１のＮ極Ｓ極軸ｙ１の方向とは、磁石体Ｍ１のＮ極Ｎの中心Ｏｎから磁石体Ｍ２のＳ極Ｓの中心Ｏｓへ向かう方向をいう。
○磁石体Ｍ２のＮ極Ｓ極軸ｙ２の方向とは、磁石体Ｍ２のＮ極Ｎの中心Ｏｎから磁石体Ｍ２のＳ極Ｓの中心Ｏｓへ向かう方向をいう
○中心Ｏｎとは、磁石体ＭのＮ極Ｎの中心をいう。図１０において、磁石体ＭのＮ極Ｎの中心Ｏｎは、外から見えないので、表示は省略する。
○中心Ｏｓとは。磁石体ＭのＳ極Ｎの中心をいう。図１０において、磁石体ＭのＮ極Ｎの中心Ｏｓは、外から見えないので、表示は省略する。
○外側方向とは、ブック型携帯ケース１００の内側から外側へ向かう方向をいう。
ここに、外側とは、ブック型携帯ケース１００の外側をいい（図１１）、内側とは、ブック型携帯ケース１００の内側をいう（図１１）。
○内側方向とは、ブック型携帯ケース１００の外側から内側へ向かう方向をいう。
ここに、外側とは、ブック型携帯ケース１００の外側をいい（図１１）、内側とは、ブック型携帯ケース１００の内側をいう（図１１）。
○反発力Ｆｒとは、磁石体Ｍ１と磁石体Ｍ２が反発して共に遠ざかるように作用する力をいう。
○吸引力Ｆａとは、磁石体Ｍ１と磁石体Ｍ２が吸引し合って共に近づくように作用する力をいう。
＊＊＊＊＊＊＊＊＊＊＊＊＊＊＊＊＊＊＊＊＊＊＊＊＊＊＊＊＊＊＊＊＊＊＊
発明者は、本発明を完成させるにあたり、以下のような模擬実験を行った。
＜模擬実験１＞
●模擬実験装置
図３は、模擬実験装置を表す図である。図３（Ａ）図は、模擬実験装置の平面図である。図３（Ｂ）図は、模擬実験装置の正面図である。
磁石体Ｍ１、磁石体Ｍ２は、本発明の磁石体Ｍ１、磁石体Ｍ２に相当する、正方形の角磁石を用いた。すなわち、磁石体Ｍ１、磁石体Ｍ２とも、上側がＮ極Ｎで下側がＳ極Ｓの角型磁石を用いた。
実験台の上に、磁石体Ｍ１を接着剤で動かないように固定した。支持台の上に支持板を接着剤で固定し、その先端に磁石体Ｍ２を接着剤で取付けた。
●はじめに、
発明者は、図４（Ａ）図、（Ｂ）図、（Ｃ）図のような位置に、２つの磁石体Ｍ１、磁石体Ｍ２がある場合について、２つの磁石体Ｍ１、Ｍ２が相互に受ける力Ｆはどうなるかを推測した。
図４（Ａ）図の場合は、磁石体Ｍ１、の真上に磁石体Ｍ２が有る場合であるが、かかる場合、磁石体Ｍ２の上のＮ極Ｎと磁石体Ｍ１下のＳ極Ｓが引っ張り合うことが容易に推測され、頭の中で考えても磁石体Ｍ１、Ｍ２が相互に受ける力Ｆは引っ張り力であることが容易に推測された（模擬実験によっても推測が正しいことが確認された。）。
図４（Ｂ）図の場合は、磁石体Ｍ１の右横に磁石体Ｍ２が有る場合であるが、かかる場合、磁石体Ｍ２とＭ２の上のＮ極Ｎ同士、磁石体Ｍ２とＭ２の下のＳ極Ｓ同士Ｓが反発し合うことが容易に推測され、頭の中で考えても磁石体Ｍ１、Ｍ２が相互に受ける力Ｆは反発力（引っ張り力とは反対の力）であることが容易に推測された（模擬実験によっても推測が正しいことが確認された。）。
しかしながら、図４（Ｃ）の場合は、磁石体Ｍ２が磁石体Ｍ１に右横方向から近付き、磁石体Ｍ２が磁石体Ｍ１に対して斜め右上の位置にある場合であるが、かかる場合、磁石体Ｍ２の下のＮ極Ｎと磁石体Ｍ１の上のＳ極Ｓに作用する引っ張り力の方が上回って、２つの磁石体Ｍ１、Ｍ２が相互に受ける力Ｆは引っ張り力ではないかと推測されたが、頭の中で考えても容易に確信にまでは至らなかったので、模擬実験を行ってみることにした（しかしながら、結論を先に言えば、驚くべきことに、模擬実験によっては、かかる推測が間違いであることが確認された。）。
●模擬実験の結果
そこで、上記のケースについて模擬実験を行って実験的に把握することとした（図４（Ｃ）図、図６を参照）。
そして、磁石体Ｍ１よりも、紙面視、磁石体Ｍ２の位置が上側に位置するように設定し磁石体Ｍ２を、磁石体Ｍ１に交叉させるように近付けたところ、驚くべきことに、磁石体Ｍ２が、磁石体Ｍ２の右上側に位置した場合、磁石体Ｍ２は反発力（引っ張り力とは反対の磁力）を受けて、浮き上がって上方に変位した。
さらに、磁石Ｍ２を磁石体Ｍ１に近づけると、磁石体Ｍ２の端が磁石体Ｍ１の端の上を通過すると磁石体Ｍ２は磁石体Ｍ１に引っ張られて接触した。
磁石体Ｍ２は、磁石体Ｍ１に接触したまま、磁石体Ｍ２のＮ極Ｓ極軸と磁石体Ｍ１のＮ極Ｓ極軸が一致するまで、滑動しながら移動した。
最終的に、磁石体Ｍ２は、磁石体Ｍ１に接触したまま滑動しながら移動し、磁石体Ｍ２のＮ極Ｓ極軸と磁石体Ｍ１のＮ極Ｓ極軸が一致することを確認した。
再現性を確かめるべく、何回も何回も模擬実験を行ったが、
磁石体Ｍ１より、磁石体Ｍ２が、紙面視、上側に位置するように設定し、磁石体Ｍ２を、磁石体Ｍ１に交叉させるように近づけたところ、あるところに近づくと、磁石体Ｍ２は上側に磁石力を受けて、浮き上がるように上方に変位し、磁石体Ｍ２を磁石体Ｍ１に近づけると、磁石体Ｍ２の端が磁石体Ｍ１の端の上を通過すると磁石体Ｍ２は磁石体Ｍ１に引っ張られて接触し、
磁石体Ｍ２は、磁石体Ｍ１に接触したまま、滑動しながら移動し、磁石体Ｍ２のＮ極Ｓ極軸と磁石体Ｍ１のＮ極Ｓ極軸が一致したところで停止することを確認した。
＜模擬実験２＞
●模擬実験装置
また、発明者は、磁石体Ｍ１の横方向から、磁石体Ｍ２を近づけた場合、どのような挙動をとるかを観察するために模擬実験装置を作製した（図５）。
実験台の中心部に磁石体Ｍ１を接着剤で接着させて動かないように固定した。磁石体Ｍ１の横方向に、実験台に接触した磁石体Ｍ２を置いた（図５）。
この場合、磁石体Ｍ２は磁石体Ｍ１から反発力を受けて、磁石体Ｍ２は磁石体Ｍ１から遠ざかろうとする（図５）。
指で押しながら、磁石体Ｍ２は磁石体Ｍ１に近づけると、磁石体Ｍ２の先端部が浮き上がった状態になった（図６（１）図）。
そして、一瞬にして、磁石体Ｍ２は、磁石体Ｍ１の上面の一部に載った状態になるや、磁石体Ｍ２と磁石体Ｍ１の相互間に働く引っ張り力（磁力）により、水平方向に滑動して、磁石体Ｍ２のＮ極Ｓ極軸ｙ２と磁石体Ｍ１のＮ極Ｓ極軸ｙ１が一致した状態で停止した（図６（２）、図６（３）図）。
●発明者の着想からの発明の完成
発明者は、上記のような模擬実験からも、「本発明の蓋Ｃに導電性パーツＫ１〜Ｋ４をはめ込んで、蓋Ｃを閉じたままで、ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近することを特徴とするマグネットロック機構を備えたブック型携帯ケース１００」を着想し、本発明を完成させた（図９（Ａ）、図９（Ｂ）、図９（Ｃ）図）。
＊＊＊＊＊＊＊＊＊＊＊＊＊＊＊＊＊＊＊＊＊＊＊＊＊＊＊＊＊＊＊＊＊＊＊
＜マグネットロック機構＞
本発明の特徴的構成要件は、マグネットロック機構にある。
マグネットロック機構の構成要件は、以下の通りである。
マグネットロック機構は、「本体部分Ｂと蓋部分Ｃとからなり、本体部分Ｂと蓋部分Ｃがヒンジ部ｈにおいて接合され、磁石体Ｍ１を内包する長方形板留め具Ｋ１が、その長方形面ｐ１と本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００」に用いられるものである（図１、図２、図７、図８、図１１）。
マグネットロック機構の特徴は、「磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり（図１、図２、図７、図８、図１１）、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり（図３〜６、図９）、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近することを特徴とすることである（図３〜６、図９）。
＊＊＊＊＊＊＊＊＊＊＊＊＊＊＊＊＊＊＊＊＊＊＊＊＊＊＊＊＊＊＊＊＊＊＊
＜第１の発明（請求項１に記載の発明）と第２の発明（請求項２に記載の発明）との相違点＞
第１の発明と第２の発明とは、
前者が、「磁石体Ｍ１のＮ極Ｓ極軸ｙ１の方向、及び、磁石体Ｍ２のＮ極Ｓ極軸ｙ２の方向が外側方向になるように構成されてなる」のに対して、後者が、「磁石体Ｍ１のＮ極Ｓ極軸ｙ１の方向、及び、磁石体Ｍ２のＮ極Ｓ極軸ｙ２の方向が外側方向になるように構成されてなる」のに対して、
後者が、「磁石体Ｍ１のＮ極Ｓ極軸ｙ１の方向、及び、磁石体Ｍ２のＮ極Ｓ極軸ｙ２の方向が外側方向になるように構成されてなる」のに対して、後者が、「磁石体Ｍ１のＮ極Ｓ極軸ｙ１の方向、及び、磁石体Ｍ２のＮ極Ｓ極軸ｙ２の方向が内側方向になるように構成されてなる」点のみが相違し、他は相違しない（図７、図８、図９）。
「磁石体Ｍ１のＮ極Ｓ極軸ｙ１の方向、及び、磁石体Ｍ２のＮ極Ｓ極軸ｙ２の方向」は、肉眼では見えないので、両発明の作用効果は全く同じであることから、人間の目では観察によって両発明を区別することはできない。
図９は、第１発明についての図であるが、第２発明について、「磁石体Ｍ１のＮ極Ｓ極軸ｙ１の方向、及び、磁石体Ｍ２のＮ極Ｓ極軸ｙ２の方向」が内側方向になるようにすれば、同じである。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
本体部分Ｂと蓋部分Ｃとからなり、本体部分Ｂと蓋部分Ｃがヒンジ部ｈにおいて接合され、磁石体Ｍ１を内包する長方形板留め具Ｋ１が、その長方形面ｐ１と本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とするマグネットロック機構を備えたブック型携帯ケース１００。
ここに、磁石体Ｍ１のＮ極Ｓ極軸ｙ１とは、磁石体Ｍ１のＮ極Ｎの中心ＯｎとＳ極Ｓの中心Ｏｓを通る軸をいい、磁石体Ｍ２のＮ極Ｓ極軸ｙ２とは、磁石体Ｍ２のＮ極Ｎの中心ＯｎとＳ極Ｓの中心Ｏｓを通る軸をいう。磁石体Ｍ１のＮ極Ｓ極軸ｙ１の方向とは、Ｎ極Ｎの中心ＯｎからＳ極Ｓの中心Ｏｓへ向かう方向をいい、磁石体Ｍ２のＮ極Ｓ極軸ｙ２の方向とは、Ｎ極Ｎの中心ＯｎからＳ極Ｓの中心Ｏｓへ向かう方向をいう。
を特徴とするマグネットロック機構を備えたブック型携帯ケース１００である。
○第２の発明（請求項２に記載の発明）
上記の課題を解決するための第２の発明（請求項２に記載の発明）は、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が内側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が内側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とする請求項１に記載されたマグネットロック機構を備えたブック型携帯ケース１００である。
○第３の発明（請求項３に記載の発明）
上記の課題を解決するための第３の発明（請求項３に記載の発明）は、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近すると共に、磁石体Ｍ１と磁石体Ｍ２の吸引力Ｆａにより磁石体Ｍ１の中心Ｏ１と磁石体Ｍ２の中心Ｏ２が自動的に重なることを特徴とする請求項１〜２の何れかに記載されたマグネットロック機構を備えたブック型携帯ケース１００である。
○第４の発明（請求項４に記載の発明）
上記の課題を解決するための第４の発明（請求項４に記載の発明）は、
本体部分Ｂの面と長方形板留め具Ｋ１の面が垂直になるように構成され、蓋Ｃの面に長方形板留め具Ｋ１が垂直になるように構成されていることを特徴とする請求項１〜３の何れかに記載されたマグネットロック機構を備えたブック型携帯ケース１００である。
○第５の発明（請求項５に記載の発明）
上記の課題を解決するための第５の発明（請求項５に記載の発明）は、
ブック型携帯ケースを閉じる際には、磁石体Ｍ１と磁石体Ｍ２の吸引力Ｆａにより、長方形板留め具Ｋ１と長方形板係止材Ｋ２が接触する際にカチッと音がしてロックされたことを知らせることを特徴とする請求項１〜４の何れかに記載されたマグネットロック機構を備えたブック型携帯ケース１００である。
○第６の発明（請求項６に記載の発明）
上記の課題を解決するための第６の発明（請求項６に記載の発明）は、
本体部分Ｂの面と長方形板留め具Ｋ１の面が垂直になるように構成され、蓋Ｃの面に長方形板係止材Ｋ２が垂直になるように構成されている場合、長方形板留め具Ｋ１の面より、長方形板係止材Ｋ２が外側にあることを特徴とする請求項１〜５の何れかに記載されたマグネットロック機構を備えたブック型携帯ケース１００である。
○第７の発明（請求項７に記載の発明）
上記の課題を解決するための第７の発明（請求項７に記載の発明）は、
長方形板留め具Ｋ１の先端Ｋ１１が、蓋部分Ｃの開閉部Ｃ０のストッパーＳｔに当接することにより、本体部分Ｂと蓋部分Ｃの間の間隔を保持して、ブック型携帯ケース１００に収納された携帯端末が外から見えるようにしたことを特徴とする請求項１〜６の何れかに記載されたマグネットロック機構を備えたブック型携帯ケース１００である。
○第８の発明（請求項８に記載の発明）
上記の課題を解決するための第８の発明（請求項８に記載の発明）は、
長方形板留め具Ｋ１の先端Ｋ１１が、長方形板留め具Ｋ１の固着部Ｋ１２より、断面が大きいことを特徴とする請求項１〜７の何れかに記載されたマグネットロック機構を備えたブック型携帯ケース１００である。
【発明の効果】
【０００７】
本発明に係る、マグネットロック機構を備えたブック型携帯ケース１００は、上記のような特徴的構成要件から構成され、特徴的構成要件に応じた、以下のような本願発明特有の効果を奏する。
また、上記の各発明に応じた、上記のような特徴的構成要件から構成されたマグネットロック機構を備えたブック型携帯ケース１００によれば、本願発明の課題を十分解消することができた。
○第１の発明の効果
第１の発明によれば、
本体部分Ｂと蓋部分Ｃとからなり、本体部分Ｂと蓋部分Ｃがヒンジ部ｈにおいて接合され、磁石体Ｍ１を内包する長方形板留め具Ｋ１が、その長方形面ｐ１と本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とするマグネットロック機構を備えたブック型携帯ケース１００。
ここに、磁石体Ｍ１のＮ極Ｓ極軸ｙ１とは、磁石体Ｍ１のＮ極Ｎの中心ＯｎとＳ極Ｓの中心Ｏｓを通る軸をいい、磁石体Ｍ２のＮ極Ｓ極軸ｙ２とは、磁石体Ｍ２のＮ極Ｎの中心ＯｎとＳ極Ｓの中心Ｏｓを通る軸をいう。磁石体Ｍ１のＮ極Ｓ極軸ｙ１の方向とは、Ｎ極Ｎの中心ＯｎからＳ極Ｓの中心Ｏｓへ向かう方向をいい、磁石体Ｍ２のＮ極Ｓ極軸ｙ２の方向とは、Ｎ極Ｎの中心ＯｎからＳ極Ｓの中心Ｏｓへ向かう方向をいう。
という特徴的な構成要件により、本発明が解決しようとする第１課題〜第５課題を達成することができ、当業者予測不可能な顕著な効果を奏することができた。
○第２の発明の効果
第２の発明によれば、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が内側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が内側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することという特徴的な構成要件により、本発明が解決しようとする第１課題〜第５課題を達成することができ、当業者予測不可能な顕著な効果を奏することができた。
○第３の発明の効果
第３の発明によれば、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近すると共に、磁石体Ｍ１と磁石体Ｍ２の吸引力Ｆａにより磁石体Ｍ１の中心Ｏ１と磁石体Ｍ２の中心Ｏ２が自動的に重なることという特徴的な構成要件により、本発明が解決しようとする第１課題〜第５課題を達成することができ、当業者予測不可能な顕著な効果を奏することができた。
○第４の発明の効果
第４の発明によれば、
本体部分Ｂの面と長方形板留め具Ｋ１の面が垂直になるように構成され、蓋Ｃの面に長方形板留め具Ｋ１が垂直になるように構成されていることという特徴的な構成要件により、本発明が解決しようとする第１課題〜第５課題を達成することができ、当業者予測不可能な顕著な効果を奏することができた。
○第５の発明の効果
第５の発明によれば、
ブック型携帯ケースを閉じる際には、磁石体Ｍ１と磁石体Ｍ２の吸引力Ｆａにより、長方形板留め具Ｋ１と長方形板係止材Ｋ２が接触する際にカチッと音がしてロックされたことを知らせることという特徴的な構成要件により、本発明が解決しようとする第１課題〜第５課題を達成することができ、当業者予測不可能な顕著な効果を奏することができた。
○第６の発明の効果
第６の発明によれば、
本体部分Ｂの面と長方形板留め具Ｋ１の面が垂直になるように構成され、蓋Ｃの面に長方形板係止材Ｋ２が垂直になるように構成されている場合、長方形板留め具Ｋ１の面より、長方形板係止材Ｋ２が外側にあることという特徴的な構成要件により、本発明が解決しようとする第１課題〜第５課題を達成することができ、当業者予測不可能な顕著な効果を奏することができた。
○第７の発明の効果
第７の発明によれば、
長方形板留め具Ｋ１の先端Ｋ１１が、蓋部分Ｃの開閉部Ｃ０のストッパーＳｔに当接することにより、本体部分Ｂと蓋部分Ｃの間の間隔を保持して、ブック型携帯ケース１００に収納された携帯端末が外から見えるようにしたことという特徴的な構成要件により、本発明が解決しようとする第１課題〜第５課題を達成することができ、当業者予測不可能な顕著な効果を奏することができた。
○第８の発明の効果
第８の発明によれば、
長方形板留め具Ｋ１の先端Ｋ１１が、長方形板留め具Ｋ１の固着部Ｋ１２より、断面が大きいことという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、マグネットロック機構を備えたブック型携帯ケース１００に関する最良の実施形態について、図面を参照しながら説明する。
図１は、本考案に係る、マグネットロック機構を備えたブック型携帯ケース１００の斜視図である。
図２は、本考案に係る、マグネットロック機構を備えたブック型携帯ケース１００が開いた状態から閉じる状態へ移行する状態を示す図（正面図）である。
図３は、模擬実験装置を表す図である。
図３（Ａ）図は、模擬実験装置の平面図である。
図３（Ｂ）図は、模擬実験装置の正面図である。
図４は、磁石体Ｍ１と磁石体Ｍ２の位置関係によって、相互に受ける力を想定する図である。
図４（Ａ）図は、磁石体Ｍ１の真上に磁石体Ｍ２が有る場合、相互に引っ張り力が働くことを示す図である。
図４（Ｂ）図は、磁石体Ｍ１の横方向に磁石体Ｍ２が有る場合、相互に反発力が働くことを示す図である。
図４（Ｃ）図は、磁石体Ｍ１の右上に磁石体Ｍ２が有る場合、どのような力が働くか予想できないことを示す図である。
図５は、模擬実験装置を表す図である。
図５（Ａ）図は、模擬実験装置の平面図である。
図５（Ｂ）図は、模擬実験装置の正面図である。
図６は、磁石体Ｍ１と磁石体Ｍ２の位置関係によって、どのような状態になるかを示す図である。
図６（Ａ）図は、指で押しながら、磁石体Ｍ２は磁石体Ｍ１に近づけると、磁石体Ｍ２の先端部が浮き上がった状態になったことを示す図である。
図６（Ｂ）図は、磁石体Ｍ２は、磁石体Ｍ１の上面の一部に載った状態になったことを示す図である。
図６（Ｃ）図は、磁石体Ｍ２と磁石体Ｍ１の相互間に働く引っ張り力（磁力）により、水平方向に滑動して、磁石体Ｍ２のＮ極Ｓ極軸ｙ２と磁石体Ｍ１のＮ極Ｓ極軸ｙ１が一致した状態で停止したことを示す図である。
図７は、磁石体Ｍ２、Ｍ１、及び、長方形板係止材Ｋ２、Ｋ１（請求項１記載発明）の拡大平面図と拡大正面図である。
図７（Ａ）図は、磁石体Ｍ２、Ｍ１、及び、長方形板係止材Ｋ２、Ｋ１（請求項１記載発明）の拡大平面図であり、
図７（Ｂ）図は、磁石体Ｍ２、Ｍ１、及び、長方形板係止材Ｋ２、Ｋ１（請求項１記載発明）の拡大正面図である。
図８は、磁石体Ｍ２、Ｍ１、及び、長方形板係止材Ｋ２、Ｋ１（請求項２記載発明）の拡大平面図と拡大正面図である。
図８（Ａ）図は、磁石体Ｍ２、Ｍ１、及び、長方形板係止材Ｋ２、Ｋ１（請求項２記載発明）の拡大平面図であり、
図８（Ｂ）図は、磁石体Ｍ２、Ｍ１、及び、長方形板係止材Ｋ２、Ｋ１（請求項２記載発明）の拡大正面図である。
図９は、本考案に係る、マグネットロック機構を備えたブック型携帯ケース１００が開いた状態から閉じる状態へ移行する状態を示す図（正面図）である。
図９（Ａ）図は、磁石体Ｍ２、Ｍ１が近接する場合、磁石体Ｍ２は磁石体Ｍ１より反発力を受け、外側に変位する状態を示す。
図９（Ｂ）図は、磁石体Ｍ２、Ｍ１がさらに近接する場合、磁石体Ｍ２は磁石体Ｍ１より引っ張り力を受け、図に示す状態になる。
図９（Ｃ）図は、図９（Ｂ）図になったならば、磁石体Ｍ２は磁石体Ｍ１より引っ張り力を受け、２つのＮ極Ｓ極軸が一致するまで、瞬間的に移動して図に示す状態になる。
図１０は、磁性体Ｍの斜視図である。
図１１は、長方形板係止材Ｋ２、Ｋ１（請求項１記載発明）の拡大平面図と拡大正面図である。
図１１（Ａ）図は、長方形板係止材Ｋ２、Ｋ１（請求項１記載発明）の拡大平面図であり、
図１１（Ｂ）図は、長方形板係止材Ｋ２、Ｋ１（請求項１記載発明）の拡大正面図である。
以下、本発明に係る、マグネットロック機構を備えたブック型携帯ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
本体部分Ｂと蓋部分Ｃとからなり、本体部分Ｂと蓋部分Ｃがヒンジ部ｈにおいて接合され、磁石体Ｍ１を内包する長方形板留め具Ｋ１が、本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とするマグネットロック機構を備えたブック型携帯ケース１００。
ここに、磁石体Ｍ１のＮ極Ｓ極軸ｙ１とは、磁石体Ｍ１のＮ極Ｎの中心ＯｎとＳ極Ｓの中心Ｏｓを通る軸をいい、磁石体Ｍ２のＮ極Ｓ極軸ｙ２とは、磁石体Ｍ２のＮ極Ｎの中心ＯｎとＳ極Ｓの中心Ｏｓを通る軸をいう。磁石体Ｍ１のＮ極Ｓ極軸ｙ１の方向とは、Ｎ極Ｎの中心ＯｎからＳ極Ｓの中心Ｏｓへ向かう方向をいい、磁石体Ｍ２のＮ極Ｓ極軸ｙ２の方向とは、Ｎ極Ｎの中心ＯｎからＳ極Ｓの中心Ｏｓへ向かう方向をいう。
を特徴とするマグネットロック機構を備えたブック型携帯ケース１００が開示されている。
○第１の発明の効果
第１の発明によれば、
本体部分Ｂと蓋部分Ｃとからなり、本体部分Ｂと蓋部分Ｃがヒンジ部ｈにおいて接合され、磁石体Ｍ１を内包する長方形板留め具Ｋ１が、その長方形面ｐ１と本体部分Ｂの裏面と直交するように、本体部分Ｂの開閉部Ｂ０に一体接合されてなり、磁石体Ｍ２を内包する長方形板係止材Ｋ２が、蓋部分Ｃの開閉部Ｃ０に可撓的に取り付けてなるブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が外側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が外側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とするマグネットロック機構を備えたブック型携帯ケース１００。
ここに、磁石体Ｍ１のＮ極Ｓ極軸ｙ１とは、磁石体Ｍ１のＮ極Ｎの中心ＯｎとＳ極Ｓの中心Ｏｓを通る軸をいい、磁石体Ｍ２のＮ極Ｓ極軸ｙ２とは、磁石体Ｍ２のＮ極Ｎの中心ＯｎとＳ極Ｓの中心Ｏｓを通る軸をいう。磁石体Ｍ１のＮ極Ｓ極軸ｙ１の方向とは、Ｎ極Ｎの中心ＯｎからＳ極Ｓの中心Ｏｓへ向かう方向をいい、磁石体Ｍ２のＮ極Ｓ極軸ｙ２の方向とは、Ｎ極Ｎの中心ＯｎからＳ極Ｓの中心Ｏｓへ向かう方向をいう。
という特徴的な構成要件により、本発明が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が内側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が内側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することを特徴とする請求項１に記載されたマグネットロック機構を備えたブック型携帯ケース１００が開示されている。
○第２の発明の効果
第２の発明によれば、
磁石体Ｍ１と長方形板留め具Ｋ１が、磁石体Ｍ１のＮ極Ｓ極軸ｙ１が、長方形板留め具Ｋ１の長方形面ｐ１と直交し、磁石体Ｍ１のＮ極Ｓ極軸ｙ１の方向が内側方向になるように構成されてなり、
磁石体Ｍ２と長方形板留め具Ｋ２が、磁石体Ｍ２のＮ極Ｓ極軸ｙ２が、長方形板留め具Ｋ２の長方形面ｐ２と直交し、磁石体Ｍ２のＮ極Ｓ極軸ｙ２の方向が内側方向になるように構成されてなり、
ブック型携帯ケースを閉じていく際には、長方形板係止材Ｋ２の先端Ｋ２１が長方形板留め具Ｋ１の先端部Ｋ１１に外側から近づくと磁石体Ｍ１と磁石体Ｍ２の反発力Ｆｒにより長方形板係止材Ｋ２は長方形板留め具Ｋ１から外側へ遠ざかり、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近し、長方形板留め具Ｋ１の先端Ｋ１１が、蓋部分Ｃの開閉部Ｃ０のストッパーＳｔに当接することにより、本体部分Ｂと蓋部分Ｃの間の間隔を保持することという特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近すると共に、磁石体Ｍ１と磁石体Ｍ２の吸引力Ｆａにより磁石体Ｍ１の中心Ｏ１と磁石体Ｍ２の中心Ｏ２が自動的に重なることを特徴とする請求項１〜２の何れかに記載されたマグネットロック機構を備えたブック型携帯ケース１００が開示されている。
○第３の発明の効果
第３の発明によれば、
長方形板係止材Ｋ２の先端Ｋ２１が長方形板留め具Ｋ１の先端部Ｋ１１を外側から越えて通過すると磁石体Ｍ１と磁石体Ｍ２の吸引力Ｆａにより長方形板係止材Ｋ２は長方形板留め具Ｋ１へ接近すると共に、磁石体Ｍ１と磁石体Ｍ２の吸引力Ｆａにより磁石体Ｍ１の中心Ｏ１と磁石体Ｍ２の中心Ｏ２が自動的に重なることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
本体部分Ｂの面と長方形板留め具Ｋ１の面が垂直になるように構成され、蓋Ｃの面に長方形板留め具Ｋ１が垂直になるように構成されていることを特徴とする請求項１〜３の何れかに記載されたマグネットロック機構を備えたブック型携帯ケース１００が開示されている。
○第４の発明の効果
第４の発明によれば、
本体部分Ｂの面と長方形板留め具Ｋ１の面が垂直になるように構成され、蓋Ｃの面に長方形板留め具Ｋ１が垂直になるように構成されていることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
ブック型携帯ケースを閉じる際には、磁石体Ｍ１と磁石体Ｍ２の吸引力Ｆａにより、長方形板留め具Ｋ１と長方形板係止材Ｋ２が接触する際にカチッと音がしてロックされたことを知らせることを特徴とする請求項１〜４の何れかに記載されたマグネットロック機構を備えたブック型携帯ケース１００が開示されている。
○第５の発明の効果
第５の発明によれば、
ブック型携帯ケースを閉じる際には、磁石体Ｍ１と磁石体Ｍ２の吸引力Ｆａにより、長方形板留め具Ｋ１と長方形板係止材Ｋ２が接触する際にカチッと音がしてロックされたことを知らせることという特徴的な構成要件により、本発明が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
本体部分Ｂの面と長方形板留め具Ｋ１の面が垂直になるように構成され、蓋Ｃの面に長方形板係止材Ｋ２が垂直になるように構成されている場合、長方形板留め具Ｋ１の面より、長方形板係止材Ｋ２が外側にあることを特徴とする請求項１〜５の何れかに記載されたマグネットロック機構を備えたブック型携帯ケース１００が開示されている。
○第６の発明の効果
第６の発明によれば、
本体部分Ｂの面と長方形板留め具Ｋ１の面が垂直になるように構成され、蓋Ｃの面に長方形板係止材Ｋ２が垂直になるように構成されている場合、長方形板留め具Ｋ１の面より、長方形板係止材Ｋ２が外側にあることという特徴的な構成要件により、本発明が解決しようとする第１課題〜第５課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
長方形板留め具Ｋ１の先端Ｋ１１が、蓋部分Ｃの開閉部Ｃ０のストッパーＳｔに当接することにより、本体部分Ｂと蓋部分Ｃの間の間隔を保持して、ブック型携帯ケース１００に収納された携帯端末が外から見えるようにしたことを特徴とする請求項１〜６の何れかに記載されたマグネットロック機構を備えたブック型携帯ケース１００が開示されている。
○第７の発明の効果
第７の発明によれば、
長方形板留め具Ｋ１の先端Ｋ１１が、蓋部分Ｃの開閉部Ｃ０のストッパーＳｔに当接することにより、本体部分Ｂと蓋部分Ｃの間の間隔を保持して、ブック型携帯ケース１００に収納された携帯端末が外から見えるようにしたことという特徴的な構成要件により、本発明が解決しようとする第１課題〜第５課題を達成することができ、当業者予測不可能な顕著な効果を奏することができた。という特徴的な構成要件により、本発明が解決しようとする第１課題〜第５課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
長方形板留め具Ｋ１の先端Ｋ１１が、長方形板留め具Ｋ１の固着部Ｋ１２より、断面が大きいことを特徴とする請求項１〜７の何れかに記載されたマグネットロック機構を備えたブック型携帯ケース１００が開示されている。
○第８の発明の効果
第８の発明によれば、
長方形板留め具Ｋ１の先端Ｋ１１が、長方形板留め具Ｋ１の固着部Ｋ１２より、断面が大きいことという特徴的な構成要件により、本発明が解決しようとする第１課題〜第５課題を達成することができ、当業者予測不可能な顕著な効果を奏することができた。
【図面の簡単な説明】
【０００９】
【図１】図１は、本考案に係る、マグネットロック機構を備えたブック型携帯ケース１００の斜視図である。
【図２】図２は、本考案に係る、マグネットロック機構を備えたブック型携帯ケース１００が開いた状態から閉じる状態へ移行する状態を示す図（正面図）である。
【図３】図３は、模擬実験装置を表す図である。  図３（Ａ）図は、模擬実験装置の平面図である。  図３（Ｂ）図は、模擬実験装置の正面図である。
【図４】図４は、磁石体Ｍ１と磁石体Ｍ２の位置関係によって、相互に受ける力を想定する図である。  図４（Ａ）図は、磁石体Ｍ１の真上に磁石体Ｍ２が有る場合、相互に引っ張り力が働くことを示す図である。  図４（Ｂ）図は、磁石体Ｍ１の横方向に磁石体Ｍ２が有る場合、相互に反発力が働くことを示す図である。  図４（Ｃ）図は、磁石体Ｍ１の右上に磁石体Ｍ２が有る場合、どのような力が働くか予想できないことを示す図である。
【図５】図５は、模擬実験装置を表す図である。  図５（Ａ）図は、模擬実験装置の平面図である。  図５（Ｂ）図は、模擬実験装置の正面図である。
【図６】図６は、磁石体Ｍ１と磁石体Ｍ２の位置関係によって、どのような状態になるかを示す図である。  図６（Ａ）図は、指で押しながら、磁石体Ｍ２は磁石体Ｍ１に近づけると、磁石体Ｍ２の先端部が浮き上がった状態になったことを示す図である。  図６（Ｂ）図は、磁石体Ｍ２は、磁石体Ｍ１の上面の一部に載った状態になったことを示す図である。  図６（Ｃ）図は、磁石体Ｍ２と磁石体Ｍ１の相互間に働く引っ張り力（磁力）により、水平方向に滑動して、磁石体Ｍ２のＮ極Ｓ極軸ｙ２と磁石体Ｍ１のＮ極Ｓ極軸ｙ１が一致した状態で停止したことを示す図である。
【図７】図７は、磁石体Ｍ２、Ｍ１、及び、長方形板係止材Ｋ２、Ｋ１（請求項１記載発明）の拡大平面図と拡大正面図である。  図７（Ａ）図は、磁石体Ｍ２、Ｍ１、及び、長方形板係止材Ｋ２、Ｋ１（請求項１記載発明）の拡大平面図であり、  図７（Ｂ）図は、磁石体Ｍ２、Ｍ１、及び、長方形板係止材Ｋ２、Ｋ１（請求項１記載発明）の拡大正面図である。
【図８】図８は、磁石体Ｍ２、Ｍ１、及び、長方形板係止材Ｋ２、Ｋ１（請求項２記載発明）の拡大平面図と拡大正面図である。  図８（Ａ）図は、磁石体Ｍ２、Ｍ１、及び、長方形板係止材Ｋ２、Ｋ１（請求項２記載発明）の拡大平面図であり、  図８（Ｂ）図は、磁石体Ｍ２、Ｍ１、及び、長方形板係止材Ｋ２、Ｋ１（請求項２記載発明）の拡大正面図である。
【図９】図９は、本考案に係る、マグネットロック機構を備えたブック型携帯ケース１００が開いた状態から閉じる状態へ移行する状態を示す図（正面図）である。  図９（Ａ）図は、磁石体Ｍ２、Ｍ１が近接する場合、磁石体Ｍ２は磁石体Ｍ１より反発力を受け、外側に変位する状態を示す。  図９（Ｂ）図は、磁石体Ｍ２、Ｍ１がさらに近接する場合、磁石体Ｍ２は磁石体Ｍ１より引っ張り力を受け、図に示す状態になる。  図９（Ｃ）図は、図９（Ｂ）図になったならば、磁石体Ｍ２は磁石体Ｍ１より引っ張り力を受け、２つのＮ極Ｓ極軸が一致するまで、瞬間的に移動して図に示す状態になる。
【図１０】図１０は、磁性体Ｍの斜視図である。
【図１１】図１１は、長方形板係止材Ｋ２、Ｋ１（請求項１記載発明）の拡大平面図と拡大正面図である。  図１１（Ａ）図は、長方形板係止材Ｋ２、Ｋ１（請求項１記載発明）の拡大平面図であり、  図１１（Ｂ）図は、長方形板係止材Ｋ２、Ｋ１（請求項１記載発明）の拡大正面図である。
【符号の説明】
【００１０】
Ｂ……本体部分
Ｃ……蓋部分
ｈ……ヒンジ部
ＢＯ……本体部分Ｂの開閉部
ＣＯ……蓋部分Ｂの開閉部
Ｍ２、Ｍ１……磁石体
Ｋ２、Ｋ１……長方形板係止材
１００……ブック型携帯ケース
Ｋ２１……長方形板係止材Ｋ２の先端側
Ｋ２２……長方形板係止材Ｋ２の係止側
Ｋ１１……長方形板係止材Ｋ１の先端側
Ｋ１２……長方形板係止材Ｋ１の係止側
Ｐｈ……携帯電話
Ｗ１、Ｗ２……側壁
Ｗ……窓
【要約】      （修正有）【課題】蓋部分を閉じるだけで、目で見て操作しなくても、磁石の力だけで所定位置に自動的に固定できるマグネットロック機構を備えたブック型携帯ケースを提供することである。【解決手段】磁石体を内包する長方形板係止材Ｋ２が、蓋部分Ｃの開閉部Ｃ０に可撓的に取り付けてなるブック型携帯ケース１００において、ブック型携帯ケース１００を閉じていく際には、長方形板係止材Ｋ２の先端Ｋ２１が磁石体を内包する長方形板留め具Ｋ１の先端部Ｋ１１に外側から近づくと磁石体と磁石体の反発力により長方形板係止材Ｋ２は長方形板留め具Ｋ１から外側へ遠ざかり、長方形板係止材Ｋ２の先端Ｋ２１が長方形板留め具Ｋ１の先端部Ｋ１１を外側から越えて通過すると磁石体と磁石体の吸引力により長方形板係止材Ｋ２は長方形板留め具Ｋ１へ接近する。【選択図】図１【図１】
0006043903.tif 000002
【図２】
0006043903.tif 000003
【図３】
0006043903.tif 000004
【図４】
0006043903.tif 000005
【図５】
0006043903.tif 000006
【図６】
0006043903.tif 000007
【図７】
0006043903.tif 000008
【図８】
0006043903.tif 000009
【図９】
0006043903.tif 000010
【図１０】
0006043903.tif 000011
【図１１】
0006043903.tif 000012